(57)【要約】      （修正有）【課題】板状のスラットの揺動によるフックの損傷を防止し得る縦型ブラインドのスラット吊下装置を提供する。【解決手段】ハンガーレール１に支持されたランナー２のフック２ａに可撓性のない板状のスラット４を吊下支持する縦型ブラインドにおいて、スラット４の上端部に断面円形の線材にてなる掛止具１５を取着し、該掛止具１５をフック２ａに掛けてスラット４をランナー２から吊下支持した。従って、スラット４がその進行方向に沿って揺動した場合にも、掛止具１５はフック２ａ内で容易に回動可能であるため、フック２ａあるいは掛止具１５が損傷されることはない。【選択図】図１
0003145226.tif 000002
【実用新案登録請求の範囲】
【請求項１】
ハンガーレールに支持されたランナーのフックに可撓性のない板状のスラットを吊下支持する縦型ブラインドにおいて、
前記スラットの上端部に断面円形の線材にてなる掛止具を取着し、該掛止具を前記フックに掛けて前記スラットを前記ランナーから吊下支持したことを特徴とする縦型ブラインドのスラット吊下装置。
【請求項２】
ハンガーレールに支持されたランナーのフックに可撓性のない板状のスラットを吊下支持する縦型ブラインドにおいて、
前記スラットの上端部にハンガープレートを取着し、該ハンガープレートに前記フックに掛止め可能とした掛止具を回動可能に支持し、前記ハンガープレートには前記掛止具を垂直状態から一方へ斜め方向となる状態までの範囲で自重による回動を許容する回動規制部を設けたことを特徴とする縦型ブラインドのスラット吊下装置。
【請求項３】
前記掛止具を、断面円形の線材で構成したことを特徴とする請求項２記載の縦型ブラインドのスラット吊下装置。
【請求項４】
前記掛止具は、線材をクランク状に折り曲げて形成したことを特徴とする請求項１又は３記載の縦型ブラインドのスラット吊下装置。
【請求項５】
前記回動規制部は、
前記掛止具が垂直状態から一方へ斜め方向となる状態まで回動したとき当接する第一の回動規制部と、
前記掛止具の自重による垂直状態から他方への回動を阻止する第二の回動規制部と
を備えたことを特徴とする請求項２乃至４のいずれか１項に記載の縦型ブラインドのスラット吊下装置。
【請求項６】
前記第二の回動規制部は、円弧状の突部とし、前記掛止具は所定値以上の回転力で前記突部を乗り越えて回動可能としたことを特徴とする請求項５記載の縦型ブラインドのスラット吊下装置。
【請求項７】
前記ハンガープレートを前記スラットの上端部に設けた切除部に取着して、前記掛止具がフックに吊下支持されたとき、該掛止具の上端の高さを前記スラットの上縁と一致させたことを特徴とする請求項２乃至６のいずれか１項に記載の縦型ブラインドのスラット吊下装置。
【考案の詳細な説明】
【技術分野】
【０００１】
この考案は、縦型ブラインドのスラットを吊下支持する吊下装置に関するものである。
【背景技術】
【０００２】
縦型ブラインドの一種類として、ハンガーレールに移動可能に支持された多数のランナーからそれぞれスラットが吊下支持され、操作装置の操作により各スラットをハンガーレールに沿って移動操作可能とし、かつ同位相で回動操作可能としたものがある。
【０００３】
このような縦型ブラインドでは、各ランナーの吊下軸の下端部にフックが設けられ、そのフックに各スラットのスラットハンガーが吊下支持される。
特許第２６８０７１７号公報（文献１）には、ランナーのフックにスラットを吊下支持するための構成が開示されている。すなわち、スラットをフックに吊下支持するためには、スラットハンガーを斜めに傾けた状態で断面長円状の掛止軸をフックの掛止溝内に挿入する。すると、スラットハンガーはフックから容易には脱落しない状態で垂直方向に保持され、そのスラットハンガーから布等のスラットが吊下支持される。
【考案の開示】
【考案が解決しようとする課題】
【０００４】
近年、スラットを木製等の板材とした縦型ブラインドが実用化されている。このような縦型ブラインドのスラットの上端部に文献１に記載されているような掛止軸を設け、その掛止軸をフックに吊下支持する構成とすると、スラットの揺動時に掛止軸がフック内で回動する状態となるため、フックあるいは掛止軸が損傷されるおそれがある。
【０００５】
また、掛止軸をフックに掛止めする際、スラットを傾ける必要があるが、板状のスラットを傾けると、隣接するスラットあるいは窓や壁面等に干渉しやすい。従って、スラットのフックに対する着脱作業が煩雑となる。
【０００６】
この考案の目的は、板状のスラットの揺動によるフックの損傷を防止し得る縦型ブラインドのスラット吊下装置を提供することにある。また、板状のスラットをランナーのフックに対し容易に着脱可能とする縦型ブラインドのスラット吊下装置を提供することにある。
【課題を解決するための手段】
【０００７】
請求項１では、ハンガーレールに支持されたランナーのフックに可撓性のない板状のスラットを吊下支持する縦型ブラインドにおいて、前記スラットの上端部に断面円形の線材にてなる掛止具を取着し、該掛止具を前記フックに掛けて前記スラットを前記ランナーから吊下支持した。
【０００８】
請求項２では、ハンガーレールに支持されたランナーのフックに可撓性のない板状のスラットを吊下支持する縦型ブラインドにおいて、前記スラットの上端部にハンガープレートを取着し、該ハンガープレートに前記フックに掛止め可能とした掛止具を回動可能に支持し、前記ハンガープレートには前記掛止具を垂直状態から一方へ斜め方向となる状態までの範囲で自重による回動を許容する回動規制部を設けた。
【０００９】
請求項３では、前記掛止具を、断面円形の線材で構成した。
請求項４では、前記掛止具は、線材をクランク状に折り曲げて形成した。
請求項５では、前記回動規制部は、前記掛止具が垂直状態から一方へ斜め方向となる状態まで回動したとき当接する第一の回動規制部と、前記掛止具の自重による垂直状態から他方への回動を阻止する第二の回動規制部とを備えた。
【００１０】
請求項６では、前記第二の回動規制部は、円弧状の突部とし、前記掛止具は所定値以上の回転力で前記突部を乗り越えて回動可能とした。
請求項７では、前記ハンガープレートを前記スラットの上端部に設けた切除部に取着して、前記掛止具がフックに吊下支持されたとき、該掛止具の上端の高さを前記スラットの上縁と一致させた。
【考案の効果】
【００１１】
本考案によれば、板状のスラットの揺動によるフックの損傷を防止し得る縦型ブラインドのスラット吊下装置を提供することができる。また、板状のスラットをランナーのフックに対し容易に着脱可能とする縦型ブラインドのスラット吊下装置を提供することができる。
【考案を実施するための最良の形態】
【００１２】
以下、この考案を具体化した一実施の形態を図面に従って説明する。図１に示す縦型ブラインドは、ハンガーレール１内で多数のランナー２が移動可能に支持され、そのランナー２の吊下軸３にスラット４がそれぞれ吊下支持されている。そして、操作装置の操作によりランナー２がハンガーレール１内を移動することにより、スラット４がハンガーレール１に沿って移送され、吊下軸３の回転にともなって各スラット４が同位相で回動される。
【００１３】
前記スラット４は、木製の板材で形成され、吊下軸３の下端部に設けられるフック２ａに吊下支持されている。その吊下装置の構成を以下に説明する。
図２に示すように、前記スラット４の上端部において幅方向中央部には矩形の切除部５が形成され、その切除部５の下方には取付孔６が形成されている。
【００１４】
前記切除部５には金属板を折り曲げて形成されたハンガープレート７が取着される。すなわち、ハンガープレート７の下部には透孔８が形成され、前記取付孔６にはスラット４の一側面からナット部材９が嵌着される。そして、スラット４の他側面からハンガープレート７の透孔８に挿通したネジ１０をナット部材９に螺入することにより、ハンガープレート７がスラット４に固定されている。
【００１５】
図３及び図４に示すように、前記ハンガープレート７の上端部両側は、水平方向に折り曲げられ、さらにその先端部が筒状に屈曲されて、一対の軸受部１１ａ，１１ｂが形成されている。その軸受部１１ａ，１１ｂの内側には溝部１２がそれぞれ形成され、その溝部１２を構成する軸受部１１ａ，１１ｂ側の側縁には、上方に向かう斜辺（第一の回動規制部）１３が形成されている。
【００１６】
また、軸受部１１ａ，１１ｂの内側端部において、軸受部１１ａ，１１ｂの中心に対し前記斜辺１３の反対側には、円弧状に突出する突部（第二の回動規制部）１４がそれぞれ形成されている。
【００１７】
前記軸受部１１ａ，１１ｂには断面円形の金属線を折り曲げて形成した掛止具１５が支持されている。掛止具１５はクランク状に折り曲げられ、その両端部が軸受部１１ａ，１１ｂに挿入されている。従って、掛止具１５は軸受部１１ａ，１１ｂ間で回動可能に支持されている。
【００１８】
そして、図４に示すように、掛止具１５はその自重によりその両端部近傍が前記斜辺１３に当接する状態で斜め方向に保持されている。また、掛止具１５が図４に示す状態から矢印Ａ方向に回動されると、掛止具１５の両端部近傍が前記突部１４に当接するため、ほぼ垂直方向となるまでの範囲で回動可能である。
【００１９】
掛止具１５が垂直方向に回動された状態では、掛止具１５の上端部の高さはスラット４の上縁にほぼ等しくなるように形成されている。
掛止具１５が垂直方向まで回動された状態から、掛止具１５にさらに矢印Ａ方向の強い回転力が作用すると、掛止具１５は突部１４を乗り越えて回動可能となっている。
【００２０】
次に、上記のような吊下装置を備えたスラット４をランナー２のフック２ａに吊下支持するための操作を説明する。
スラット４をランナー２に取付ける場合には、図５に示すように、スラット４の上端部がフック２ａに近づくように持ち上げる。このとき、掛止具１５は軸受部１１ａ，１１ｂから斜めに上方に延びる状態で保持されている。
【００２１】
そして、図６に示すように、フック２ａを掛止具１５内に位置させ、この状態でスラット４を側方すなわち図６において矢印Ｂ方向にスライドさせながら下降させると、掛止具１５がフック２ａに引っ掛かり、図７に示すように、スラット４がフック２ａに吊下支持される状態となる。
【００２２】
一方、スラット４をフック２ａから取り外す場合には、図７に示す状態からスラット４を上方へ持ち上げれば、図６に示すように、掛止具１５がその自重により斜めに回動される。このとき、ハンガープレート７の突部１４の作用により、掛止具１５が反対側へ回動されることはない。
【００２３】
この状態で、フック２ａが掛止具１５内から上方へ抜け出るようにスラット４を下ろせば、図５に示すように、スラット４がフック２ａから取り外される。
また、図７に示す状態からスラット４を持ち上げるとき、掛止具１５に誤って矢印Ｃ方向の大きな力が作用しても、掛止具１５が突部１４を乗り越えて回動可能であるので、掛止具１５あるいはフック２ａの損傷が防止される。
【００２４】
上記のように構成された縦型ブラインドのスラット吊下装置では、次に示す作用効果を得ることができる。
（１）スラット４は、フック２ａから掛止具１５を介して吊下支持され、その掛止具１５は断面円形の線材で構成される。従って、スラット４がその進行方向に沿って揺動した場合にも、掛止具１５はフック２ａ内で容易に回動可能である。従って、スラット４が揺動した場合にもフック２ａあるいは掛止具１５が損傷されることはない。
（２）スラット４をフック２ａに取り付けるには、スラット４を上方へ持ち上げて掛止具１５内にフック２ａを挿通し、その状態でスラット４を下降させてフック２ａに掛止具１５を引っ掛ければよい。また、スラット４をフック２ａから取り外す場合には、スラット４を上方へ持ち上げて掛止具１５をフック２ａから外した後、スラット４を下降させればよい。従って、ランナー２に対するスラット４の着脱作業を容易に行うことができる。
（３）スラット４をランナー２に着脱する際、スラット４を斜め方向に傾ける必要がない。従って、スラット４が板状であっても、隣接するスラットや窓面に干渉することなく、スラット４の着脱作業を容易に行うことができる。
（４）ハンガープレート７に設けた突部１４により、スラット４の着脱作業時には掛止具１５が一方向にのみ傾くようにした。従って、スラット４の着脱作業を円滑に行うことができる。
（５）突部１４は、掛止具１５が所定値以上の回転力が作用したとき、乗り越え可能とする円弧状とした。従って、掛止具１５に無用な回転力が作用しても、掛止具１５あるいはフック２ａの損傷を防止することができる。
（６）ハンガープレート７をスラット４上端部の切除部５に取着し、そのハンガープレート７に取着した掛止具１５の上端部の高さはスラット４の上縁とほぼ一致するようにした。従って、スラット４の上縁とハンガーレール１との間の隙間を小さくして、この隙間からの光洩れを少なくすることができる。
【００２５】
上記実施の形態は、以下の態様で実施してもよい。
・前記掛止具１５をスラット４の上端部に直接取り付けてもよい。
・スラット４は、木製以外の例えば合成樹脂等で形成してもよい。
【図面の簡単な説明】
【００２６】
【図１】縦型ブラインドのスラット吊下装置を示す正面図である。
【図２】スラット吊下装置を示す分解斜視図である。
【図３】ハンガープレートを示す正面図である。
【図４】ハンガープレートを示す斜視図である。
【図５】スラットの着脱操作を示す側面図である。
【図６】スラットの着脱操作を示す側面図である。
【図７】スラットの着脱操作を示す側面図である。
【符号の説明】
【００２７】
１…ハンガーレール、２…ランナー、２ａ…フック、４…スラット、７…ハンガープレート、１３…回動規制部（斜辺）、１４…回動規制部（突部）、１５…掛止具。
【図１】
0003145226.tif 000003
【図２】
0003145226.tif 000004
【図３】
0003145226.tif 000005
【図４】
0003145226.tif 000006
【図５】
0003145226.tif 000007
【図６】
0003145226.tif 000008
【図７】
0003145226.tif 000009